(57)【要約】【課題】溶接作業に際し、作業者が一人で簡単かつ迅速に着脱できるとともに、作業がしやすく、かつ安全性に優れた作業衣を提供する。【解決手段】前垂れ部２０の横方向中央にウェストラインＷ下から裾部２０ａ  へ至るスリット２１を設けて、左前垂れ部２２と右前垂れ部２３とを形成し、左前垂れ部２２と右前垂れ部２３とが一部重なるように、かつ左前垂れ部２２と右前垂れ部２３の各裾部２２ａ，２３ａ  がひざ部よりも下方に位置するように形成する。前垂れ部２０の外面の中央に、上端部が前垂れ部２０のウェストラインＷ付近に固定され、かつ下端部がひざ部より上方に位置する腹部カバー３０を設ける。胸当て部１０、前垂れ部２０及び腹部カバー３０を、少なくとも表面に防炎加工を施した素材により構成する。前垂れ部２０の両脇部のウェストラインＷよりやや下方にダーツ部４０を設ける。【選択図】        図１
2004316034.tif 000002
【特許請求の範囲】
【請求項１】
胸当て部とその下に連設された前垂れ部とを有し、
前垂れ部の横方向中央にウェストライン下から裾部へ至るスリットを設けて、左前垂れ部と右前垂れ部とを形成し、
左前垂れ部と右前垂れ部とが一部重なるように、かつ左前垂れ部と右前垂れ部の各裾部がひざ部よりも下方に位置するように形成するとともに、
前垂れ部の外面の中央に、上端部が前垂れ部のウェストライン付近に固定され、かつ下端部がひざ部より上方に位置する腹部カバーを設け、
胸当て部、前垂れ部及び腹部カバーを、少なくとも表面に防炎加工を施した素材により構成した溶接作業用エプロン。
【請求項２】
前垂れ部の両脇部のウェストラインよりやや下方にダーツ部を設け、ダーツ部よりも下方の両脇部の端縁がエプロンの内面を向くように屈曲形成した請求項１に記載の溶接作業用エプロン。
【請求項３】
前垂れ部の両脇部に、外側に向けて張出し部を有する段部を形成し、この段部の内角部にダーツ部を設けた請求項２に記載の溶接作業用エプロン。
【請求項４】
左前垂れ部と右前垂れ部との重なり部において前面となる前垂れ部の中心側の側縁は、スリットの上端部から裾部へ至る中間部において、その幅が広がって広がり部を形成して裾部へ至るようになっている請求項１〜３のいずれかに記載の溶接作業用エプロン。
【請求項５】
胸当て部、前垂れ部及び腹部カバーを、防炎加工を施した綿素材により構成した、請求項１〜４のいずれかに記載の溶接作業用エプロン。
【発明の詳細な説明】
【０００１】
【発明の属する技術分野】
本発明は、溶接作業用エプロンに関するものである。
【０００２】
【従来の技術】
自動車修理工場では、作業者は、通常、綿（木綿）製又は合成繊維製等の作業衣を着用して点検や修理を行っている。作業者が行う修理作業には、自動車のエンジンや各構造部を修理する一般修理作業のほか、溶接作業を伴う車体の板金修理、加工作業がある。
しかし、従来、このような溶接作業に際して簡単に着用できる作業衣はなく、また、溶接作業は、必ずしも常時行われるものではなく、時々発生する作業であるため、作業者は、一般修理作業の際に着用している綿製等の作業衣を着用したまま溶接作業を行っている。
このため、溶接作業時に飛び散るスパッターによって作業衣が燃えたり、焦げたりすることがあり、安全とはいえず、また、損傷した作業衣は使えなくなり、廃棄せざるを得ないという問題点がある。
【０００３】
なお、一般的な作業用エプロンについては、各種のものが提案されている。例えば、特許文献１には、前掛け部分に三枚の前垂れを付けたエプロンが記載されている。しかし、特許文献１に記載されたエプロン、その他従来のエプロンは、上記のような溶接作業を行うことについては全く念頭になく、かつ上記のような溶接作業を行うのに適したものではない。
【０００４】
【特許文献１】
登録実用新案第３０７８７３３号公報
【０００５】
【発明が解決しようとする課題】
本発明は、上記従来技術における問題点を考慮してなされたもので、その目的は、自動車修理工場等において行われる溶接作業に際し、作業者が一人で簡単かつ迅速に着脱できるとともに、作業がしやすく、かつ安全性に優れた作業衣を提供することにある。
【０００６】
【課題を解決するための手段】
本発明は、胸当て部とその下に連設された前垂れ部とを有し、
前垂れ部の横方向中央にウェストライン下から裾部へ至るスリットを設けて、左前垂れ部と右前垂れ部とを形成し、
左前垂れ部と右前垂れ部とが一部重なるように、かつ左前垂れ部と右前垂れ部の各裾部がひざ部よりも下方に位置するように形成するとともに、
前垂れ部の外面の中央に、上端部が前垂れ部のウェストライン付近に固定され、かつ下端部がひざ部より上方に位置する腹部カバーを設け、
胸当て部、前垂れ部及び腹部カバーを、少なくとも表面に防炎加工を施した素材により構成した溶接作業用エプロンである。
【０００７】
本発明においては、前垂れ部の両脇部のウェストラインよりやや下方にダーツ部を設け、ダーツ部よりも下方の両脇部の端縁がエプロンの内面を向くように屈曲形成したものが好ましい。
さらには、前垂れ部の両脇部に、外側に向けて張出し部を有する段部を形成し、この段部の内角部にダーツ部を設けたものが好ましい。
また、左前垂れ部と右前垂れ部との重なり部において前面となる前垂れ部の中心側の側縁は、スリットの上端部から裾部へ至る中間部において、その幅が広がって広がり部を形成して裾部へ至るようになっているものが好ましい。
また、胸当て部、前垂れ部及び腹部カバーを、防炎加工を施した綿素材により構成したものが好ましい。
【０００８】
【発明の実施の形態】
以下、本発明の実施の形態を実施例に基いて図面を参照して説明する。
各図は本発明に係る溶接作業用エプロン１の実施例を示すもので、図１は正面図、図２は背面図、図３、図４は使用状態を示す斜視図である。
【０００９】
溶接作業用エプロン１は、胸当て部１０とその下に連設された前垂れ部２０とを有している。さらに、腹部カバー３０を有している。ここで、胸当て部１０はウェストラインＷよりも上方の部分をいい、前垂れ部２０はウェストラインＷよりも下方の部分をいう。前垂れ部２０のうち、特にスリット２１により左右に分岐された部分を、それぞれ左前垂れ部２２と右前垂れ部２３という。
これらの各部は、少なくとも表面に防炎加工を施した素材により構成されている。このため、燃えにくく、孔があいたり、溶けたりせず、安全に作業を遂行することができる。防炎加工を施した素材としては、吸湿性、通気性に優れ、着心地がソフトである等の効果が得られる点で、防炎加工を施した綿素材（例えば、東洋紡績社製商品名「ＰＲＯＢＡＮ」等）が好ましい。
【００１０】
前垂れ部２０の横方向中央に、ウェストラインＷ下から裾部２０ａへ至るスリット２１が設けられ、これにより、左右に分岐可能な左前垂れ部２２と右前垂れ部２３とが形成されている。スリット２１が設けられているため、動きやすく、足捌きが楽で、脚を開いてしゃがんだ際にも脚部を保護することができる。
胸当て部１０の上部の左右両端部には、首紐３が取り付けられている。前垂れ部２０の、ウェストラインＷ上における左右両端部には、腰紐５が取り付けられている。首紐３及び腰紐５の形態、取付け手段等は何ら限定されない。
【００１１】
スリット２１の上端部（スリット２１の始点）２１ａは、ウェストラインＷから股部付近の間に設けられる。例えば、ウェストラインＷから下へ約３５ｃｍの範囲、好ましくは、ウェストラインＷの下方、１５〜３０ｃｍの範囲に設けると、左前垂れ部２２と右前垂れ部２３とがはだけにくく、かつ足捌きも良好である。
図２に示すように、前垂れ部２０の背面には、スリット２１の上端部２１ａの上方位置に、三角形状をなす、補強用の当て布７が縫い付けられている。これにより、しゃがむ動作等によって負荷がかかってもスリット２１の上端部２１ａが裂けにくい。
【００１２】
左前垂れ部２２と右前垂れ部２３とは、スリット２１のところで、それらの一部が重なるように形成されており、重なり部２４を有している。符号２２ｄは左前垂れ部２２の中心側の側縁、符号２３ｄは右前垂れ部２３の中心側の側縁である。
重なり部２４において前面となる左前垂れ部２２（図示の例では前面を左前垂れ部２２としているが右前垂れ部２３としてもよい。）の中心側の側縁２２ｄは、スリット２１の上端部２１ａから裾部２２ａへ至る中間部において、その幅が広がって広がり部２２ｃを形成して裾部２２ａへ至るようになっている。これにより、脚を開いた際に左前垂れ部２２の側の脚が露出することなくカバーされる。
前面となる左前垂れ部２２の中心側の側縁２２ｄに沿ってその内面には所定幅の見返しを設けるとよい（図示省略）。見返しを設けることによって、前面となる前垂れ部のまくれ上がりを防ぐことができる。
重なり部の幅２４は、スリット２１の上端部２１ａ付近で５〜１０ｃｍ、下端部で１０〜１６ｃｍ程度が好ましい。
【００１３】
また、左前垂れ部２２と右前垂れ部２３の各裾部２２ａ，２３ａが、着用した際にひざ部よりも下方に位置するように形成されている。その位置は、ひざ下１０ｃｍ以上、好ましくは、ひざ下２０ｃｍ以上の丈となるものが、しゃがんだときのひざ部の保護が確実となる。例えば、ウェストラインＷから各裾部２２ａ，２３ａまでの長さは８０ｃｍ程度とすることができる。
【００１４】
腹部カバー３０は、前垂れ部２０の外面の（横方向）中央部に、上端部３０ａが前垂れ部２０のウェストラインＷ付近に縫い付けて固定される態様で設けられている。この腹部カバー３０は、矩形状をなしており、左右及び下の各辺部は前垂れ部２０に固定されていない。腹部カバー３０は、好ましくは二重布とすることで、防御性能が高められ、またシワが生じにくい。腹部カバー３０は、必要に応じて、面ファスナー、ボタン等を用いて着脱可能に固定するようにしてもよい。
また、腹部カバー３０は、その下端部３０ｂが、着用した際にひざ部よりも上方に位置するものであることが肝要である。ひざ部よりも下方に位置すると、しゃがむ等の動作がしにくくじゃまになり、また、後述するしゃがんで行う溶接作業の際に長すぎて地面に着いたり、下に垂らしての使用がしにくいものとなる。
腹部カバー３０の下端部３０ｂの位置は、腹部カバー３０がスリット２１の上端部２１ａを少なくとも覆う位置に形成されており、スリット２１の上端部２１ａから下に５ｃｍ以上、例えばスリット２１の上端部２１ａから下に５〜２０ｃｍの範囲に位置するものが好ましい。一例として、腹部カバー３０の縦長さは３０〜４５ｃｍ、幅は２０〜３５ｃｍ程度が使用しやすい。
【００１５】
前垂れ部２０の両脇部のウェストラインＷよりやや下方には、ダーツ部４０，４０が設けられている。ダーツ部４０，４０は、楔状の重なり代をもつ縫込みにより形成され、前垂れ部２０の中心側に向けて下方約４５°傾斜して直線状に適宜長さ延びている。これにより、ダーツ部４０，４０の内側端部４０ａ，４０ａを頂部とする立体形状が形成され、ダーツ部４０，４０よりも下方の両脇部の端縁（左前垂れ部２２と右前垂れ部２３の外側側縁２２ｅ，２３ｅ）がややエプロンの内面を向くように屈曲形成されている。したがって、前垂れ部２０の両脇部が、脚の側面に沿って包みこむ形でなじみ、脚の側面を保護することができ、かつ脚の動きへの追従性も優れたものとなる。
前垂れ部２０の両脇部のダーツ部４０，４０の重なり代の幅、長さは特に限定されない。
【００１６】
また、図示のようにダーツ部４０，４０は、前垂れ部２０の両脇部に、外側に向けて張出し部２６，２６を有する段部２５，２５を形成し、この段部２５，２５の内角部２５ａ，２５ａに設けたものが好ましい。これにより、着用時に張出し部２６，２６が、脚の側面に沿って包みこむように形成され、しかも、しゃがむ動作、脚を開く動作が束縛されず、足捌きがしやすいものとなる。段部２５，２５は、ウェストラインＷから下に１５〜３０ｃｍの範囲に位置するものが好ましい。
【００１７】
溶接作業用エプロン１の大きさは、体型によって、Ｓサイズ、Ｍサイズ、Ｌサイズ等の大きさに構成できる。前記した各部の好ましい寸法は、標準的な体型の成人男性用を基準とするものである。全体的な大きさは、標準的な体型の成人男性を基準とするＭサイズの一例を挙げれば、総丈１０８ｃｍ、ウェストラインＷの横幅６４ｃｍ、前垂れ部２０の最大横幅（裾部）８３ｃｍ程度である。
【００１８】
溶接作業用エプロン１の使用方法について説明する。
作業者は、溶接作業を行う際、通常着用している作業衣の上から、溶接作業用エプロン１の首紐３を首にかけ、腰紐５を腰に回して着用する。着脱は簡単で、一人で行うことができる。
立って行う作業の際は、図３に示すようにそのまま作業をすればよい。スリット２１が設けられているため、動きやすく、足捌きが楽である。
【００１９】
低い位置での溶接作業は、図４に示すように、脚を開いて行うことになるが、スリット２１が設けられているため、脚を開いてしゃがんだ際にも脚部が保護される。また、腹部カバー３０はしゃがんだ際に床に着かない長さであり、汚れることがない。
しゃがんでの作業の際には、腹部カバー３０を下に伸ばして使用する。腹部カバー３０を、開いた両脚の間で、垂下ないし傾斜面が形成される状態で垂らすことができるので、スパッターが飛び散っても溜まることがなく流れ落ち、損傷しにくく、かつ安全である。
【００２０】
以上、本発明の実施の形態を説明したが、本発明は上記の実施の形態に限定されるものではなく、本発明の要旨の範囲で種々の変形、付加等が可能である。
【００２１】
【発明の効果】
本発明に係る溶接作業用エプロンは、エプロンの形態の作業衣としため、上着やズボンを着替える必要がない。背面は覆われないので、通気性も良好である。溶接作業に際し、作業者が一人で簡単かつ迅速に着脱できるとともに、スリットが設けられているため、動きやすく、足捌きが楽で、作業がしやすく、脚を開いてしゃがんだ際にも脚部を保護することができ、安全性にも優れている。
左前垂れ部と右前垂れ部とが一部重なるように、かつ左前垂れ部と右前垂れ部の各裾部がひざ部よりも下方に位置するように形成するとともに、前垂れ部の外面の中央に、上端部が前垂れ部のウェストライン付近に固定され、かつ下端部がひざ部より上方に位置する腹部カバーを設けたため、動きやすく、足捌きが楽である。しゃがんだときにひざ部を含む脚部が保護され、また、しゃがんでの作業の際には、腹部カバーを、開いた両脚の間で、床に着くことなく垂下ないし傾斜面が形成される状態状態で垂らすことができるので、スパッターが飛び散っても溜まることがなく流れ落ち、損傷しにくく、かつ安全である。
胸当て部、前垂れ部及び腹部カバーを、少なくとも表面に防炎加工を施した素材により構成したので、燃えにくく、孔があいたり、溶けたりせず、安全に作業を遂行することができる。
【００２２】
前垂れ部の両脇部のウェストラインよりやや下方にダーツ部を設け、ダーツ部よりも下方の両脇部の端縁がエプロンの内面を向くように屈曲形成することにより、前垂れ部の両脇部が、脚の側面に沿って包みこむ形でなじみ、脚の側面を保護することができ、かつ脚の動きへの追従性も優れたものとなる。
【００２３】
前垂れ部の両脇部に、外側に向けて張出し部を有する段部を形成し、この段部の内角部にダーツ部を設けることにより、着用時に張出し部が、脚の側面に沿って包みこむように形成され、しかも、しゃがむ動作、脚を開く動作が束縛されず、足捌きがしやすいものとなる。
【００２４】
左前垂れ部と右前垂れ部との重なり部において前面となる前垂れ部の中心側の側縁は、スリットの上端部から裾部へ至る中間部において、その幅が広がって広がり部を形成して裾部へ至るように構成することにより、脚を開いた際に脚が露出することなく確実にカバーされる。
【００２５】
胸当て部、前垂れ部及び腹部カバーを、防炎加工を施した綿素材により構成することで、吸湿性、通気性に優れ、着心地がソフトである等の効果が得られる。
【図面の簡単な説明】
【図１】本発明に係る溶接作業用エプロン１の実施例の正面図である。
【図２】本発明に係る溶接作業用エプロン１の実施例の背面図である。
【図３】本発明に係る溶接作業用エプロン１の使用状態を示す斜視図である。
【図４】本発明に係る溶接作業用エプロン１の使用状態を示す斜視図である。
【符号の説明】
１  溶接作業用エプロン
１０  胸当て部
２０  前垂れ部
２０ａ  前垂れ部２０の裾部
２１  スリット
２１ａ  スリット２１の上端部
２２  左前垂れ部
２２ａ  左前垂れ部２２の裾部
２２ｃ  広がり部
２２ｄ  左前垂れ部２２の中心側の側縁
２３  右前垂れ部
２４  重なり部
２５  段部
２５ａ  段部２５の内角部
２６  張出し部
３０  腹部カバー
３０ｂ  腹部カバー３０の下端部
４０  ダーツ部
Ｗ  ウェストライン
【図１】
2004316034.tif 000003
【図２】
2004316034.tif 000004
【図３】
2004316034.tif 000005
【図４】
2004316034.tif 000006